(57)【特許請求の範囲】
【請求項１】
下面に吸込口を設け、電動送風機の吸引力が作用する吸込具本体と、前記吸込口に臨むように前記吸込具本体内に回転自在に設けた回転ブラシとを備え、前記回転ブラシは、外周面に塵埃掻き上げ部を設けた略筒状のブラシホルダーと、前記ブラシホルダーに内設され前記回転ブラシを回転駆動する電動機と、前記電動機を支持し、前記ブラシホルダーの一端部を回動自在に支持する中空なる固定軸から構成され、前記ブラシホルダーに設けた開口部により前記ブラシホルダー内部に前記電動送風機の吸引力が作用するように構成し、前記固定軸の反電動機側に前記電動機を冷却する冷却風を取り入れる冷却風取り入れ口を設けると共に、前記固定軸の電動機側の端部を前記電動機内部と連通するように気密に接続し、前記固定軸の内部には、前記電動機を制御する板状の制御回路が、前記冷却風の流れ方向に略平行に配置されている電気掃除機用吸込具。
【請求項２】
固定軸の電動機側の内部空間を、電動機の外周とブラシホルダーとで形成する空間と遮蔽した請求項１記載の電気掃除機用吸込具。
【請求項３】
固定軸の電動機側の端部を前記電動機の外周に挿入し、前記固定軸と前記電動機を一体的に形成した請求項１または２記載の電気掃除機用吸込具。
【請求項４】
吸込具本体の電動機冷却用吸引風の流入口である冷却口近傍に、固定軸の電動機冷却用吸引風の取り入れ口である冷却風取り入れ口を設けた請求項１〜３のいずれか１項に記載の電気掃除機用吸込具。
【請求項５】
電動機のロータ軸にファンを設けた請求項１〜４のいずれか１項に記載の電気掃除機用吸込具。
【請求項６】
ファンは、電動機のロータ軸の巻線部より出力軸側に設けた請求項５記載の電気掃除機用吸込具。
【請求項７】
前記ブラシホルダーの内部には、前記電動機に連結した出力伝達部が設けられており、前記出力伝達部近傍に冷却羽根を形成した請求項１〜６のいずれか１項に記載の電気掃除機用吸込具。
【請求項８】
冷却羽根を出力伝達部と一体に形成した請求項７記載の電気掃除機用吸込具。
【請求項９】
冷却羽根をブラシホルダーの内周面と隙間を設けて構成した請求項７または８記載の電気掃除機用吸込具。
【請求項１０】
冷却羽根を電動機のロータ軸と一体に形成した請求項７〜９のいずれか１項に記載の電気掃除機用吸込具。
【請求項１１】
電動送風機に連通する請求項１〜１０のいずれか１項記載の電気掃除機用吸込具を備えた電気掃除機。
【発明の詳細な説明】
【０００１】
【発明の属する技術分野】
本発明は、電動機によって回転される回転ブラシを具備した電気掃除機用吸込具並びにこの電気掃除機用吸込具を接続する電気掃除機に関するものである。
【０００２】
【従来の技術】
従来、この種の電気掃除機用吸込具は、特開２０００ー２４５６６２号公報に示すように構成していた。以下、その構成について図６を参照しながら説明する。
【０００３】
図６に示すように、吸込具本体１は、絨毯などの被掃除面に付着した塵埃を遊離させる回転ブラシ２を内蔵し、底面に吸込口を設け、後部に掃除機本体（図示せず）と連通される接続パイプ３を回転自在に具備している。回転ブラシ２の外周面にブラシ毛４を取付け、内部に回転ブラシ２の駆動源である電動機５と、この電動機５の軸に装着し、回転を減速して回転ブラシ２に伝達する遊星歯車６と、この電動機５と遊星歯車６の間に配設した支持部材７とを内蔵している。
【０００４】
この支持部材７は複数のねじ８により電動機５に固定され、電動機５と当接する端面には、電動機５に設けた冷却孔からの換気をよくして放熱性を向上する溝９を形成し、電動機５の後部には冷却用の穴１０を設けている。その後方には電動機５を保持する固定軸１１を緩衝体１２を介して吸込具本体１に保持している。回転ブラシ２の両端の開口部には軸受１４を具備した蓋１５を装着している。
【０００５】
固定軸１１は中空に形成し、一端を回転ブラシ２の側方に突出させ、軸受１４を介して回転ブラシ２を回転自在に支持するとともに、電動機５に接続するリード線を中空部に通し、他端は円筒状に形成して回転ブラシ２の内部に配設し、電動機５の外周を支持している。固定カバー１７は回転ブラシ２の他端に装着し、回転ブラシ２を吸込具本体１に支持している。また、電動機５の後部には動作を制御する制御盤１６を保持している。
【０００６】
回転ブラシ２はこの固定カバー１７と固定軸１８を介して、吸込具本体１に支持され、接続パイプ３の吸気口１９と対向する回転ブラシ２の略中央部には、回転ブラシ２の内部と外部を連通する複数の通気孔２０を形成している。吸気口２１は固定軸１１の中空部を介して、回転ブラシ２の内部に電動機５を冷却する外気を連通させるもので、吸込具本体１の側面に形成している。
【０００７】
上記構成において動作を説明すると、吸込具本体１と掃除機本体（図示せず）に通電すると電動機５が回転し、遊星歯車６によって減速されながら回転トルクが増大されて回転ブラシ２に伝達され、ブラシ毛４により絨毯などに付着した塵埃を掻き出すとともに、掻き出された塵埃は掃除機本体に吸引される。このとき、電動機５によって回転されるのは、遊星歯車６と回転ブラシ２と蓋１２と軸受１４の外輪のみで、電動機５と固定軸１１と固定カバー１５とリード線は、吸込具本体１に固定保持されている。
【０００８】
また、掃除機本体を運転すると、吸込具本体１と床面で囲まれた空間に負圧が生じ、吸込具本体１の外周より外気が流入して接続パイプ３の吸気口１９に流れ込み、この気流により床面上の塵埃も一緒に吸気口１９へ吸い込まれていく。
【０００９】
このとき、吸気口１９と対向して設けた通気孔２０を通じて回転ブラシ２内部の通気孔２０近傍にも負圧が働くため、中空の固定軸１１と冷却口２１を介して吸込具本体１の外部と連通された回転ブラシ２内の側方部との間に圧力差が生じ、外気が冷却口２１より固定軸１１の中空部を通って電動機５の後方に設けた冷却口１０より電動機５内に入るか回転ブラシ２内部と電動機５の外周の隙間から侵入して通気口２０から排出される。
【００１０】
【発明が解決しようとする課題】
このような従来の構成では、電動機５の冷却を行なう場合、絨毯や床面の掃除を行っているうちに、回転ブラシ２内部に保持した電動機５の温度が上昇してくる。特に、毛足の長い絨毯などの負荷の大きな絨毯上で使用される場合、電動機５の温度上昇は高く、これが電動機５のブラシの寿命を短くさせる原因となっていた。
【００１１】
この温度上昇を低くするために、電動機５の冷却風を固定軸１１の開口部から取り入れて冷却を行なっているが、冷却風を一旦電動機５の外周部に逃がす構成としているので、電動機５の外周部を冷やす風の量が多くなっている。この場合、冷却風は電動機５の外周のみしか冷やさないため、発熱源の巻線部は冷却が十分行われず、効率が悪い冷却方式になっていた。電動機５の冷却効率を向上するためには、電動機５の内部に冷却風を送り込む必要がある。
【００１２】
本発明は上記従来の課題を解決するもので、電動機の冷却効率を向上して温度上昇を低く抑え、電動機のブラシの寿命を長くして床用吸込具の寿命を長くすることを第１の目的としている。
【００１３】
また、回転ブラシを回転駆動する電動機のブラシの寿命を長くし、寿命が長い床用吸込具を備えた電気掃除機を提供することを第２の目的としている。
【００１４】
【課題を解決するための手段】
本発明は上記第１の目的を達成するために、下面に吸込口を設け、電動送風機の吸引力が作用する吸込具本体と、前記吸込口に臨むように前記吸込具本体内に回転自在に設けた回転ブラシとを備え、前記回転ブラシは、外周面に塵埃掻き上げ部を設けた略筒状のブラシホルダーと、前記ブラシホルダーに内設され前記回転ブラシを回転駆動する電動機と、前記電動機を支持し、前記ブラシホルダーの一端部を回動自在に支持する中空なる固定軸から構成され、前記ブラシホルダーに設けた開口部により前記ブラシホルダー内部に前記電動送風機の吸引力が作用するように構成し、前記固定軸の反電動機側に前記電動機を冷却する冷却風を取り入れる冷却風取り入れ口を設けると共に、前記固定軸の電動機側の端部を前記電動機内部と連通するように気密に接続し、前記固定軸の内部には、前記電動機を制御する板状の制御回路が、前記冷却風の流れ方向に略平行に配置されている電気掃除機用吸込具である。
【００１５】
これにより、冷却風をすべて電動機の発熱源である巻線部に通すことができ、電動機の冷却効率を向上して温度上昇を低く抑えることができ、電動機のブラシの寿命を長くして床用吸込具の寿命を長くすることができる。また、固定軸の内部に、電動機を制御する制御回路を配置することにより、冷却風によって制御回路を効率よく冷却することができる。さらに、制御回路を冷却風の流れ方向に略平行に配設したことにより、電動機を制御する制御回路により冷却風の通路が妨害されず、効率よく冷却することができる。
【００１６】
上記第２の目的を達成するために、上記構成の電気掃除機用吸込具を備えた電気掃除機である。
【００１７】
これにより、回転ブラシを回転駆動する電動機のブラシの寿命を長くできて、寿命が長い床用吸込具を備えた電気掃除機を提供することができる。
【００１８】
【発明の実施の形態】
本発明の請求項１に記載の発明は、下面に吸込口を設け、電動送風機の吸引力が作用する吸込具本体と、前記吸込口に臨むように前記吸込具本体内に回転自在に設けた回転ブラシとを備え、前記回転ブラシは、外周面に塵埃掻き上げ部を設けた略筒状のブラシホルダーと、前記ブラシホルダーに内設され前記回転ブラシを回転駆動する電動機と、前記電動機を支持し、前記ブラシホルダーの一端部を回動自在に支持する中空なる固定軸から構成され、前記ブラシホルダーに設けた開口部により前記ブラシホルダー内部に前記電動送風機の吸引力が作用するように構成し、前記固定軸の反電動機側に前記電動機を冷却する冷却風を取り入れる冷却風取り入れ口を設けると共に、前記固定軸の電動機側の端部を前記電動機内部と連通するように気密に接続し、前記固定軸の内部には、前記電動機を制御する板状の制御回路が、前記冷却風の流れ方向に略平行に配置されている電気掃除機用吸込具である。
【００１９】
上記構成によれば、電動送風機の吸引力が開口部を介してブラシホルダー内部に作用し、ブラシホルダーにおいて外気と連通した部分、すなわち、固定軸の冷却風取り入れ口からブラシホルダー内に吸込具本体外の外気を取り入れようと作用する。しかも、固定軸の電動機側の端部は電動機内部と連通するように気密接続されているため、冷却風取り入れ口からの外気、すなわち冷却風のほとんどを電動機内部の発熱源である巻線部に通すことができ、電動機の冷却効率を向上して温度上昇を低く抑えることができ、電動機のブラシの寿命を長くして床用吸込具の寿命を長くすることができる。また、固定軸の内部に、電動機を制御する制御回路を配置することにより、冷却風によって制御回路を効率よく冷却することができる。さらに、制御回路を冷却風の流れ方向に略平行に配設したことにより、電動機を制御する制御回路により冷却風の通路が妨害されず、効率よく冷却することができる。
【００２０】
請求項２に記載の発明は、固定軸の電動機側の内部空間を、電動機の外周とブラシホルダーとで形成される空間と遮蔽したものであり、この構成では固定軸の冷却風取り入れ口から取り込んだ冷却風のほとんどは電動機の外周とブラシホルダーとで形成される空間に流出することなく、固定軸の内部と連通する電動機内部の発熱源である巻線部に通すことができ、電動機の温度上昇を低く抑えることができる。
【００２１】
請求項３に記載の発明は、固定軸の電動機側の端部を前記電動機の外周に挿入し、前記固定軸と前記電動機を一体的に形成することにより、簡単に固定軸と電動機とを気密に接続することができる。好ましくは固定軸の電動機側の端部を電動機の外周に嵌合するように、固定軸端部と電動機外周形状を設定しておく。
【００２２】
請求項４に記載の発明は、上記請求項１〜３に記載の発明において、吸込具本体の電動機冷却用吸引風の流入口である冷却口近傍に、固定軸の電動機冷却用吸引風の取り入れ口である冷却風取り入れ口を設けた電気掃除機用吸込具であり、冷却風を取り入れやすくなり、電動機を確実に冷却することができる。
【００２３】
請求項５に記載の発明は、上記請求項１〜４に記載の発明において、電動機のロータ軸にファンを設けた電気掃除機用吸込具であり、このファンは電動送風機の吸引力により発生する冷却風の流れ方向と合致するようにそのファン形状、ファン形態を設定している。このファン構成により、電動送風機の吸引力に加えてファンの回転による冷却風の流れを増強でき、冷却効率を向上することができ、電動機の温度上昇を低く抑えることができ、電動機の寿命を長くすることができる。
【００２４】
請求項６に記載の発明は、上記請求項５に記載の発明において、ファンは、電動機のロータ軸の巻線部より出力軸側に設けた電気掃除機用吸込具であり、ファンによる巻線部の冷却効率を向上することができ、電動機の温度上昇を低く抑えることができ、電動機の寿命を長くすることができる。
【００２５】
請求項７に記載の発明は、上記請求項１〜６に記載の発明において、前記ブラシホルダーの内部には、前記電動機に連結した出力伝達部が設けられており、前記出力伝達部近傍に冷却羽根を形成した電気掃除機用吸込具であり、冷却羽根により冷却効率を向上することができ、電動機の温度上昇を低く抑えることができ、電動機の寿命を長くすることができる。
【００２６】
請求項８に記載の発明は、上記請求項７に記載の発明において、冷却羽根を出力伝達部と一体に形成した電気掃除機用吸込具であり、回転ブラシの回転時に、冷却羽根による振れを生じることがなく、振動を発しないため静音化を実現することができる。
【００２７】
請求項９に記載の発明は、上記請求項７または８に記載の発明において、冷却羽根をブラシホルダーの内周面と隙間を設けて構成した電気掃除機用吸込具であり、この部分にフィルターなどを配することができ、回転ブラシ内部へごみが侵入するのを防止できる。
【００２８】
請求項１０に記載の発明は、上記請求項７〜９に記載の発明において、冷却羽根を電動機のロータ軸と一体に形成した電気掃除機用吸込具であり、電動機を確実に冷却することができ、電動機の温度上昇を低く抑えることができて、電動機の寿命を長くすることができる。
【００２９】
請求項１１に記載の発明は、請求項１〜１０のいずれか１項記載の電気掃除機用吸込具を備えた電気掃除機であり、回転ブラシを回転駆動する電動機のブラシの寿命を長くし、寿命が長い床用吸込具を備えた電気掃除機を提供することができる。
【００３０】
【実施例】
以下、本発明の実施例について、図面を参照しながら説明する。
【００３１】
（実施例１）
図１および図２に示すように、吸込具本体３１は、絨毯などの被掃除面に付着した塵埃を遊離させる回転ブラシ３２を内蔵し、後部に延長管３３と接続する連結体３４を回転自在に設けている。掃除機本体３５は、接続口３６に、延長管３３に接続したホース３７を接続し、吸込具本体３１の連結体３４を接続口３６に連通するように構成している。
【００３２】
回転ブラシ３２は、図１に示すように、吸込具本体３１の下面に開口した吸込口３８に臨むように、吸込具本体３１内に回転自在に設けている。この回転ブラシ３２は、ＡＢＳ、ポリスチロール、ポリプロピレンなどの熱可塑性樹脂で形成した略筒状のブラシホルダー３９の外周面に塵埃掻き上げ部を構成する複数のブラシ４０を設けている。
【００３３】
なお、塵埃掻き上げ部は、ブラシ４０の他、薄板状のブレード、拭き効果のある帯状体（例えば、布製の帯状体）、あるいはこれらを適宜組合わせたものであってもよい。
【００３４】
このブラシホルダー３９の内部に、回転ブラシ３２を回転駆動する電動機４１と、この電動機４１の回転数を減速する減速装置４２などを内蔵している。ここで、回転ブラシ３２は、電動機４１、減速装置４２などを内蔵するとともに、電動機４１のトルクと、外周面のブラシ４０の先端での塵埃の掻き上げ性能から、その直径を２６ｍｍ〜４３ｍｍとしている。
【００３５】
電動機４１は整流子電動機で構成し、商用電源電圧を整流する整流器、雑音防止器などを実装した制御回路４３を設け、この制御回路４３に連結体３４を通して掃除機本体３５に接続したリード線４４を接続し、商用電源電圧を整流した電圧により駆動するように構成している。ここで、電動機４１の回転数は、減速装置４２を介してブラシホルダー３９に回転が伝えられるため、３０００ｒ／ｍｉｎ〜１５０００ｒ／ｍｉｎに設定している。絨毯を掃除するときは、３０００ｒ／ｍｉｎ〜１２０００ｒ／ｍｉｎが好ましい。
【００３６】
減速装置４２は遊星歯車により構成して回転数を減速する。ここで、減速装置４２の減速比は、１／３〜１／９（好ましくは、１／５〜１／７）としている。遮音筒４５は、減速装置４２の外周を覆って遮音するものである。この遮音筒４５を介して電動機４１に保持固定し、電動機４１と減速装置４２とを一体に連結している。軸受部４６は電動機４１と一体に連結して構成した減速装置４２をブラシホルダー３９に支持するもので、内輪を減速装置４２の径小部に固定し、外輪をブラシホルダー３９の出力伝達部４７により支持している。
【００３７】
電動機４１の整流子側には、内径を中空とし減速装置４２と一体に連結して構成した電動機４１を軸支する固定軸４８を固定している。この固定軸４８は、アルミニウム合金、炭素鋼（Ｓ４５Ｃ）、工業用プラスチックなどの変形しにくい材料で形成し、内径を約１３ｍｍとして冷却風をスムーズに導入できるように構成している。
【００３８】
出力伝達部４８と噛み合う部分に、ゴム、エラストマーなどで形成した緩衝材４９を介在させ、ゴム、エラストマーなどの弾力性により、歯形相互間で噛み合い音を緩衝させている。
【００３９】
ここで、遮音筒４５は減速装置４２の外周部に取り付けており、減速装置４２の保持および遮音を行っている。この遮音筒４５は、一例として鋼板の絞り加工、アルミダイキャスト、金属の切削加工、燒結合金等金属で形成する。これにより、減速装置４２から発生する騒音の遮音効果が向上し、吸込具本体３１の静音化が可能となる。また、減速装置４２から発生する熱の放熱効果が増大することにより、減速装置４２の過度な温度上昇を防止することができ、減速装置４２の寿命の延長が可能となる。
【００４０】
回転ブラシ３２の他端は固定カバー５０と固定軸４８を介して、吸込具本体３１に支持し、連結体３４の吸気口５２と対向する回転ブラシ３２の略中央部には、回転ブラシ３２の内部と外部を連通する複数の通気孔５３を形成している。冷却口５４は、この冷却口５４の近傍に設けた外気取り入れ口である固定軸４８の冷却風取り入れ口（開放端面）５５より、中空部を介して回転ブラシ３２の内部に電動機４１を冷却する外気を連通させるもので、吸込具本体３１の側面に形成している。
【００４１】
ここで、中空なる固定軸４８の冷却風取り入れ口（開放端面）５５の反対側の開放部を電動機４１の外周に圧入、または前記電動機４１の外周に覆い被せ接着剤で固着させ前記固定軸４８と前記電動機４１を一体形成することにより、電動機４１の内部と固定軸４８の内部を電動機４１の外周空間から遮蔽し、固定軸４８の冷却風取り入れ口５５より流入する冷却風のほぼすべてを電動機４１の内部へ取り込み、電動機の内部を通って出力軸側に導くよう構成している。また、制御回路４３は、固定軸４８の内部の冷却風の通路内に配置し、この制御回路４３を冷却風の流れ方向に平行に配設している。
【００４２】
上記構成において動作を説明すると、吸込具本体３１と掃除機本体３５に通電すると、回転ブラシ３２に内蔵した電動機４１が回転し、減速装置４２によって減速され、回転トルクが増大されて回転ブラシ３２を回転駆動する。回転ブラシ３２の回転により、ブラシホルダー３９の外周面に設けたブラシ４０により絨毯などに付着した塵埃を掻き上げとともに、掻き上げた塵埃は延長管３３、ホース３７を介して掃除機本体３５に内蔵された電動送風機６２により吸引される。
【００４３】
このとき、吸込具本体３１と床面で囲まれた空間に負圧がかかり、吸込具本体３１の外周より外気が流入し、この気流により床面上の塵埃も連結体２１を通して一緒に吸い込まれていく。そして、連結体３４に対向して設けた通気孔５３を通して、回転ブラシ３２内部の通気孔５３の近傍にも負圧が働くため、電動機４１の冷却用吸引風である冷却風が冷却口５４より固定軸４８の冷却風取り入れ口５５を通して回転ブラシ３２の内部に流入する。
【００４４】
この流入した冷却風のすべてが電動機４１の内部を通って出力軸側に流れる。この冷却風により電動機４１の発熱源である巻線５６が冷却される。したがって、電動機４１の冷却効率を向上して温度上昇を低く抑えることができ、電動機４１のブラシの寿命を長くして吸込具本体３１の寿命を長くすることができる。
【００４５】
また、回転ブラシ３２の内部に保持した固定軸４８と電動機４１を圧入または接着で一体的に構成しているので、固定軸４８の冷却風取り入れ口５５から取り込んだ冷却風を電動機４１の内部へ効率よく導くことができ、電動機４１および固定軸４８の内部を電動機４１の外周空間から遮蔽しているので、冷却風のすべてを電動機４１の発熱源である巻線５６に通すことができ、電動機４１の温度上昇を低く抑えることができる。
【００４６】
また、固定軸４８の内部の冷却風の通路内に電動機４１を制御する制御回路４３を保持し、制御回路４３を冷却風の流れ方向に平行に配設しているので、制御回路４３により冷却風の通路が妨害されず、効率よく冷却することができる。
【００４７】
また、固定軸４８の端部の冷却風取り入れ口５５を吸込具本体３１の冷却口５４近傍に設けているので、冷たい外気（冷却風）を効率よく電動機４１の巻線５６に取り込むことができ、電動機４１を確実に冷却することができる。
【００４８】
また、回転ブラシ３２を回転駆動する電動機４１のブラシの寿命を長くできて、寿命が長い吸込具本体３１を備えた電気掃除機を提供することができる。
【００４９】
（実施例２）
図３に示すように、電動機４１のロータ軸５７にファン５８を設け、電動機４１のロータ５９およびステータ６０へ冷却風を導くのを補助するよう構成し、このファン５８は、ロータ軸５７の巻線５６より出力軸側に設けている。他の構成は上記実施例１と同じであり、同一符号を付して説明を省略する。
【００５０】
上記構成において動作を説明すると、吸込具本体３１と掃除機本体３５に通電したときの基本的な動作は上記実施例１の動作と同じであるので説明を省略する。
【００５１】
回転ブラシ３２内部に負圧が働くことにより、冷却風が冷却口５４より固定軸４８の冷却風取り入れ口５５を通して回転ブラシ３２の内部に流入すると、電動機４１の回転によりファン５８が回転しているため、冷却風を電動機４１の内部に導き易くでき、電動機４１の冷却効率を向上することができ、また、ファン５８による巻線５６の冷却効率を向上することができて、電動機４１の温度上昇を低く抑えることができ、電動機４１の寿命を長くすることができる。
【００５２】
（実施例３）
図４に示すように、冷却羽根５９は出力伝達部４７と一体に形成し、この冷却羽根５９をブラシホルダー３９の内周面と隙間を設けて構成している。他の構成は上記実施例１と同じであり、同一符号を付して説明を省略する。
【００５３】
上記構成において動作を説明すると、吸込具本体３１と掃除機本体３５に通電したときの基本的な動作は上記実施例１の動作と同じであるので説明を省略する。
【００５４】
回転ブラシ３２内部に負圧が働くことにより、冷却風が冷却口５４より固定軸４８の冷却風取り入れ口５５を通して回転ブラシ３２の内部に流入すると、冷却羽根５９により冷却効率を向上することができ、電動機４１の温度上昇を低く抑えることができ、電動機４１の寿命を長くすることができる。
【００５５】
また、冷却羽根５９をブラシホルダー３９内の出力伝達部４７と一体に形成しているので、回転ブラシ３２の回転時に、冷却羽根５９による振れを生じることがなく、振動を発しないため静音化を実現することができる。
【００５６】
また、冷却羽根５９をブラシホルダー３９の内周面と隙間を設けて構成しているので、この部分にフィルターなどを配することができ、回転ブラシ３２内部へごみが侵入するのを防止できる。
【００５７】
なお、本実施例では、冷却羽根５９は出力伝達部４７と一体にに形成しているが、冷却羽根を出力伝達部４７とは別体とし、出力伝達部４７の近傍に設けても、同様に作用、効果を得ることができる。
【００５８】
（実施例４）
図５に示すように、ファン６０は、回転ブラシ３２の電動機４１の内部に冷却風を導くもので、ロータ軸６１と一体に形成している。他の構成は上記実施例３と同じであり、同一符号を付して説明を省略する。
【００５９】
上記構成において動作を説明すると、吸込具本体３１と掃除機本体３５に通電したときの基本的な動作は上記実施例１の動作と同じであるので説明を省略する。
【００６０】
回転ブラシ３２内部に負圧が働くことにより、冷却風が冷却口５４より固定軸４８の冷却風取り入れ口５５を通して回転ブラシ３２の内部に流入すると、ファン６０および冷却羽根５９により冷却効率を向上することができ、電動機４１の温度上昇を低く抑えることができ、電動機４１の寿命を長くすることができる。
【００６１】
【発明の効果】
以上のように本発明に記載の発明によれば、電動機の冷却効率を向上して温度上昇を低く抑えることができ、電動機のブラシの寿命を長くして床用吸込具の寿命を長くすることができる。
【００６２】
また、上記請求項１〜１０のいずれか１項記載の電気掃除機用吸込具を備えた電気掃除機であるから、回転ブラシを回転駆動する電動機のブラシの寿命を長くするなど、寿命が長い床用吸込具を備えた電気掃除機を提供することができる。
【図面の簡単な説明】
【図１】  本発明の第１の実施例の電気掃除機用吸込具の断面図
【図２】  同電気掃除機用吸込具を備えた電気掃除機の斜視図
【図３】  本発明の第２の実施例の電気掃除機用吸込具の断面図
【図４】  本発明の第３の実施例の電気掃除機用吸込具の断面図
【図５】  本発明の第４の実施例の電気掃除機用吸込具の断面図
【図６】  従来の電気掃除機用吸込具の断面図
【符号の説明】
３１  吸込具本体
３２  回転ブラシ
３５  掃除機本体
３８  吸込口
３９  ブラシホルダー
４０  ブラシ（塵埃掻き上げ部）
４１  電動機
４７  出力伝達部
４８  固定軸
５５  冷却風取り入れ口
５８  ファン
５９  冷却羽根
６０  ファン
６２  電動送風機
【図１】
0004710152.tif 000002
【図２】
0004710152.tif 000003
【図３】
0004710152.tif 000004
【図４】
0004710152.tif 000005
【図５】
0004710152.tif 000006
【図６】
0004710152.tif 000007